(57)【特許請求の範囲】
【請求項１】
水を加熱する加熱容器を有する加熱ユニットと、水道管から前記加熱容器への給水経路に設けられた給水を制御する給水弁と、前記加熱容器内の湯を吐出するポンプと、前記加熱容器の洗浄時期に達したことを知らせる加熱容器洗浄時期お知らせ手段と、前記ポンプが駆動している累計時間を計測するポンプ時間計測手段とを設け、前記加熱容器洗浄時期お知らせ手段は、前記ポンプ時間計測手段が所定の累計時間を計測すると洗浄時期であることを知らせるようにした給湯装置。
【請求項２】
水を加熱する加熱容器を有する加熱ユニットと、水道管から前記加熱容器への給水経路に設けられた給水を制御する給水弁と、前記加熱容器内の湯を吐出するポンプと、前記加熱容器の洗浄時期に達したことを知らせる加熱容器洗浄時期お知らせ手段と、前記給水弁がオンしていて前記加熱容器へ給水している累計時間を計測する給水時間計測手段とを設け、前記加熱容器洗浄時期お知らせ手段は、前記給水時間計測手段が所定の累計時間を計測すると洗浄時期であることを知らせるようにした給湯装置。
【請求項３】
水を加熱する加熱容器を有する加熱ユニットと、水道管から前記加熱容器への給水経路に設けられた給水を制御する給水弁と、前記加熱容器内の湯を吐出するポンプと、前記加熱容器の洗浄時期に達したことを知らせる加熱容器洗浄時期お知らせ手段と、前記加熱容器への累計給水量を検知する累計給水量計測手段とを設け、前記加熱容器洗浄時期お知らせ手段は、前記累計給水量計測手段の累計給水量が所定量を計測すると洗浄時期であることを知らせるようにした給湯装置。
【請求項４】
加熱容器の洗浄時期を変更する洗浄時期変更手段を設けた請求項１〜３のいずれか１項に記載の給湯装置。
【発明の詳細な説明】
【０００１】
【発明の属する技術分野】
本発明は、一般家庭におけるキッチンシステムへ組み込んで使用するビルトインタイプの給湯装置に関するものである。
【０００２】
【従来の技術】
従来のジャーポット等は、利用者が加熱容器内に付着するカルシウムやマグネシウムイオン等でできた水垢の状態を確認し、水垢の付着がひどくなると、クエン酸や市販のポット洗浄剤を容器内に投入し、加熱容器内の洗浄を行っていた。
【０００３】
【発明が解決しようとする課題】
しかしながら、上記従来のような方法が行えるのは、加熱容器内の汚れが直接確認できる構成の湯沸かし器だけであり、キッチンシステムにビルトインされる構成の給湯装置では、加熱容器内の確認が容易でない。そして使用量によって水垢の付着状態は変わるので、この水垢の付着状態に応じた最適な洗浄を行うタイミングの確認が難しいという課題を有していた。
【０００４】
本発明は、上記従来の課題を解決するもので、加熱容器内への水垢付着量を推定して、最適な容器の洗浄のタイミングがわかる給湯装置を提供することを目的とする。
【０００５】
【課題を解決するための手段】
上記目的を達成するために、本発明の浄水給湯装置は、加熱容器内への水垢付着量を推定して、加熱容器の洗浄時期を知らせるものである。これによって、利用者は加熱容器内を見ることなく、加熱容器の洗浄を行うタイミングを知ることができるものである。
【０００６】
【発明の実施の形態】
請求項１に記載の発明は、水を加熱する加熱容器を有する加熱ユニットと、水道管から前記加熱容器への給水経路に設けられた給水を制御する給水弁と、前記加熱容器内の湯を吐出するポンプと、前記加熱容器の洗浄時期に達したことを知らせる加熱容器洗浄時期お知らせ手段と、前記ポンプが駆動している累計時間を計測するポンプ時間計測手段とを設け、前記加熱容器洗浄時期お知らせ手段は、前記ポンプ時間計測手段が所定の累計時間を計測すると洗浄時期であることを知らせるようにした給湯装置である。
【０００７】
この構成によれば、ポンプの駆動時間により加熱容器の水垢付着を推定して知らせることで、加熱容器を見ることなくさらに精度良く加熱容器の洗浄時期を知ることができる。
【０００８】
請求項２に記載の発明は、水を加熱する加熱容器を有する加熱ユニットと、水道管から前記加熱容器への給水経路に設けられた給水を制御する給水弁と、前記加熱容器内の湯を吐出するポンプと、前記加熱容器の洗浄時期に達したことを知らせる加熱容器洗浄時期お知らせ手段と、前記給水弁がオンしていて前記加熱容器へ給水している累計時間を計測する給水時間計測手段とを設け、前記加熱容器洗浄時期お知らせ手段は、前記給水時間計測手段が所定の累計時間を計測すると洗浄時期であることを知らせるようにした給湯装置である。
【０００９】
この構成によれば、給水中の給水時間の計測により加熱容器の水垢付着を推定して知らせることで、加熱容器を見ることなくさらに精度良く洗浄時期を知ることができる。
【００１０】
請求項３に記載の発明は、水を加熱する加熱容器を有する加熱ユニットと、水道管から前記加熱容器への給水経路に設けられた給水を制御する給水弁と、前記加熱容器内の湯を吐出するポンプと、前記加熱容器の洗浄時期に達したことを知らせる加熱容器洗浄時期お知らせ手段と、前記加熱容器への累計給水量を検知する累計給水量計測手段とを設け、前記加熱容器洗浄時期お知らせ手段は、前記累計給水量計測手段の累計給水量が所定量を計測すると洗浄時期であることを知らせるようにした給湯装置である。
【００１１】
この構成によれば、給水量の計測により加熱容器の水垢付着を推定して知らせることで、加熱容器を見ることなくさらに精度良く洗浄時期を知ることができる。
【００１２】
請求項４記載の発明は、加熱容器の洗浄時期を変更する洗浄時期変更手段を設けた給湯装置である。
【００１３】
この構成によれば、地域性によって異なる水道水中に含まれているカルシウムやマグネシウムイオンの濃度により、洗浄時期を変更して、地域性に合わせて精度良く加熱容器内を見ることなく加熱容器洗浄時期を精度良く知らせることができる。
【００１４】
【実施例】
以下本発明の実施例について図面を参照しながら説明する。
【００１５】
（実施例１）
以下、本発明の実施例１について図１〜図３を基に説明する。図１において、１は水道管で、２は分岐栓で、３は止水栓である。４はキッチンユニット５内部に収めれらた給湯装置の加熱ユニットで、内部に水を入れる加熱容器６がある。
【００１６】
水道管１から分岐栓２により分岐した接続管７は、給水弁８を介して浄水カートリッジ９の入り口に取り付けられている。浄水カートリッジ９の出口には、切替弁１０が接続されている。切替弁１０の一方（切替弁がオンしている時）は、加熱容器６の上部に接続されている。加熱容器６の底部には水を加熱する主ヒータ１１と、加熱した水を保温する補助ヒータ１２と、加熱容器６の湯温を検出するサーミスタ１３とが取り付けられている。
【００１７】
また、加熱容器６の湯の出口部には、内部の湯をキッチンユニット５上部に吐出させるポンプ１４が取り付けられている。さらに、加熱容器６内には、水位を検知するための電極１５が取り付けられている。この電極１５は、加熱容器６の貯湯量が０．３リットル、０．６リットル、０．９リットル、１．２リットル、１．５リットル、１．８リットルでそれぞれ検知できるように電極が取り付けられている。本実施例では、加熱容器６の満水量を１．８リットルとしている。１６は給湯装置の電源スイッチで、加熱ユニット４の側面に取り付けられている。
【００１８】
１７はキッチンユニット５の上部に設けられた水栓で、加熱容器６内の湯を導水する湯パイプ１８と、切替弁１０により分岐したもう一方（切替弁がオフしている時）の水パイプ１９と、加熱容器６上部に連通した蒸気パイプ２０とを収納している。そしてこれらの各パイプ１８〜２０および水道栓１ａは、キッチンシンク５ａに臨んで位置している。
【００１９】
２１は加熱容器洗浄時期お知らせ手段２１ａを含む表示操作部で、水栓１７上部の外面に設けられている。２２は洗浄時期変更手段で、加熱ユニット４上部に取り付けられている。２３は電源スイッチ１６がオンしている時間を計測する駆動時間計測手段である。２４は電源スイッチ１６がオフしたり停電を検知すると、駆動時間計測手段２３の計測時間を格納するためのバックアップ手段である。
【００２０】
図２は本実施例の表示操作部２１を示しており、浄水ボタンスイッチ２１ａを押すと給水弁８がオンする。給水弁８がオンすると、水道管１からの水は、浄水カートリッジ９を通過して、切替弁１０がオフとなっているので水パイプ１９を通過して出水する。もう一度、浄水ボタンスイッチ２１ａを押すと、給水弁８がオフして、水パイプ１９からの出水は止まる。
【００２１】
ロック解除ボタンスイッチ２１ｂを押すと、ロック解除ＬＥＤ２１ｃが点灯する。ロック解除ボタンスイッチ２１ｂを押してから１０秒以内に出湯ボタンスイッチ２１ｄを押し続けると、出湯ボタンスイッチ２１ｄを押している間のみ、ポンプ１４が駆動して、加熱容器６内の湯を湯パイプ１８から出湯する。押し続けている出湯ボタンスイッチ２１ｄから手を離すと、ロック解除ＬＥＤ２１ｃが消灯するとともに、ポンプ１４がオフして湯バイプ１８からの出湯は止まる。また、湯量１のＬＥＤ２１ｅ、湯量２のＬＥＤ２１ｆ、湯量３のＬＥＤ２１ｇは、電極１５によって検知した加熱容器６内の貯湯量に応じて変化する。加熱容器６内の貯湯量が０．６リットル未満の場合には、湯量１のＬＥＤ２１ｅが点灯表示する。また、加熱容器６内の貯湯量が０．６リットル以上１．２リットル未満の場合には、湯量１のＬＥＤ２１ｅと湯量２のＬＥＤ２１ｆが点灯表示する。加熱容器６内の貯湯量が１．２リットル以上の場合には、湯量１のＬＥＤ２１ｅ、湯量２のＬＥＤ２１ｆ、湯量３のＬＥＤ２１ｇが点灯表示する。
【００２２】
加熱容器洗浄時期お知らせＬＥＤ２１ｈは、加熱容器６内の洗浄時期をお知らせするＬＥＤである。また、洗浄スイッチ２１ｉは加熱容器６内を洗浄するためのシーケンスを動作させるためのスイッチとなっている。洗浄スイッチ２１ｉの操作により、例えば、給水弁８、ポンプ１４あるいは切替弁１０を制御し、加熱容器６内の湯の吐出、加熱容器６への給水を適宜行ない（複数回）、加熱容器６内を洗浄する洗浄工程を自動的に実行するものである。
【００２３】
図３は洗浄時期変更手段２２を示しており、「早い」「普通」「遅い」の３段階に調整できる洗浄時期変更スイッチ２２ａを有している。この洗浄時期変更スイッチ２２ａは、利用者の使用実態に合わせて洗浄時期のお知らせタイミングを変更できるようになっている。すなわち、地域性によって異なる水道水中に含まれているカルシウムやマグネシウムイオンの濃度により、洗浄時期を変更して、地域性に合わせて精度良く加熱容器６内を見ることなく加熱容器洗浄時期を精度良く知らせることができるようになっている。
【００２４】
上記した実施例における実際の動作について、図１〜図３を参照しながら説明する。電源スイッチ１６をオンすると、切替弁１０がオンした後、給水弁８がオンする。すると水は、水道管１から浄水カートリッジ９を通過した後、切替弁１０によって加熱容器６に貯水していく。電極１５により貯水量が０．３リットルに達すると、給水弁８と切替弁１０をオフして加熱容器６内への貯水は止まる。その後、主ヒータ１１と補助ヒータ１２をオンして、加熱容器６内の水を加熱する。サーミスタ１３の検知温度が９５℃以上に達すると、再度、切替弁１０と給水弁８をオンして、加熱容器６内に再び水を貯水していく。電極１５のの貯水量が次の検知量すなわち０．６リットルに達すると、給水弁８と切替弁１０をオフして加熱容器６内への貯水を止める。このような動作を繰り返し、電極１５の検知貯水量が１．８リットルに達すると、主ヒータ１１と補助ヒータ１２をオフする。また、サーミスタ１３の検知温度が９５℃未満となると、補助ヒータ１２をオンして加熱容器６内のお湯を高温保温するようになっている。
【００２５】
また、一度目の加熱が完了した時点から加熱容器６内のお湯は、出湯可能状態となっていて、ロック解除ボタンスイッチ２１ｂを押してから、出湯ボタンスイッチ２１ｄを押している間は、ポンプ１４が駆動して、加熱容器６内のお湯を湯パイプ１８に汲み上げて、出湯するようになっている。
【００２６】
ここで、洗浄時期お知らせ時期変更スイッチ２２ａを「普通」にセットしている場合には、電源スイッチ１６がオンしている時間が２０００時間を越えると、加熱容器洗浄時期お知らせＬＥＤ２１ｈが遅い点滅表示（０．８秒オンの０．８秒オフ）となり、さらに、洗浄工程を実施せずに、４０００時間を越えると加熱容器洗浄時期お知らせＬＥＤ２１ｈが速い点滅表示（０．４秒オンの０．４秒オフ）となる。それでも洗浄工程を実施せずに、６０００時間を越えると洗浄工程を実施するまで全ての動作が停止するようになっている。また、洗浄時期変更スイッチ２２ａを「早い」にセットしている場合には、１０００時間を越えると遅い点滅表示を行い、２０００時間を越えると速い点滅表示を行い、３０００時間を越えると洗浄工程を実施するまで全ての動作が停止するようになっている。さらに、洗浄時期変更スイッチ２２ａを「遅い」にセットしている場合には、４０００時間を越えると遅い点滅表示を行い、８０００時間を越えると速い点滅表示を行い、１２０００時間を越えると洗浄工程を実施するまで全ての動作が停止するようになっている。
【００２７】
洗浄スイッチ２１ｉを操作して、加熱容器６内を洗浄するためのシーケンスを動作させ、洗浄工程が実行されると、駆動時間計測手段２３がリセットして、再度時間計測を開始する。また、電源スイッチ１６がオフしたり、停電になると、バックアップ手段２４に駆動時間計測手段２３の計測した時間を格納するようになっていて、電源スイッチ１６がオンに戻ったり、停電復帰になると、バックアップ手段２４のバックアップしている計測時間から加算して計測を行うようになっている。
【００２８】
このように、電源スイッチ１６のオンしている時間で加熱容器６内の洗浄時期を知らせる簡単な構成で、利用者は加熱容器６内を見ることなく加熱容器６内の洗浄タイミングを知ることができる。また、地域によって異なる水道水中のカルシウムやマグネシウムイオン等の濃度により洗浄タイミングを変更できるようになっていて、地域差の洗浄タイミングにも柔軟に対応することができる。
【００２９】
なお、本実施例では、加熱容器洗浄時期お知らせＬＥＤ２１ｈの表示時間を２０００時間、４０００時間、６０００時間としているが、これらの時間に限定されるものではない。
【００３０】
（参考例１）
以下、本発明の参考例１について図４を参照しながら説明する。図において実施例１と同一の構成要素については同じ符号を付し説明を省略する。２５は主ヒータ１１または補助ヒータ１２がオンしている累計時間を測定する加熱時間計測手段である。
【００３１】
ここで、主ヒータ１１または補助ヒータ１２がオンしている累計時間が５００時間を越えると、図２に示した加熱容器洗浄時期お知らせＬＥＤ２１ｈが遅い点滅表示（０．８秒オンの０．８秒オフ）となり、さらに、洗浄工程を実施せずに、１０００時間を越えると加熱容器洗浄時期お知らせＬＥＤ２１ｈが速い点滅表示（０．４秒オンの０．４秒オフ）となる。それでも洗浄工程を実施せずに、１５００時間を越えると洗浄工程を実施するまで全ての動作が停止するようになっている。
【００３２】
洗浄スイッチ２１ｉの操作により、洗浄工程が実行されると、加熱時間計測手段２５の計測時間をリセットして、再度時間の計測を開始する。また、電源スイッチ１６がオフしたり、停電になると、バックアップ手段２４に加熱時間計測手段２５の計測した時間を格納するようになっていて、電源スイッチ１６がオンに戻ったり、停電復帰になると、バックアップ手段２４のバックアップしている計測時間より累計して時間計測を行うようになっている。
【００３３】
このように、主ヒータ１１または補助ヒータ１２がオンしている累計時間を計測して加熱容器６内の洗浄時期を知らせることで、加熱容器６の使用状況に合わせて利用者は、加熱容器６内の洗浄タイミングを知ることができる。
【００３４】
なお、本参考例では、加熱容器洗浄時期お知らせＬＥＤ２１ｈの表示時間を５００時間、１０００時間、１５００時間としているが、これらの時間に限定されるものではない。
【００３５】
（実施例２）
以下、本発明の実施例２について図５を参照しながら説明する。図において実施例１と同一の構成要素については同じ符号を付し説明を省略する。２６はポンプ１４の駆動累計時間を計測するポンプ時間計測手段である。
【００３６】
ここで、ポンプ１４が駆動している累計時間が５００時間を越えると、図２に示した加熱容器洗浄時期お知らせＬＥＤ２１ｈが遅い点滅表示（０．８秒オンの０．８秒オフ）となり、さらに、洗浄工程を実施せずに、１０００時間を越えると加熱容器洗浄時期お知らせＬＥＤ２１ｈが速い点滅表示（０．４秒オンの０．４秒オフ）となる。それでも洗浄工程を実施せずに、１５００時間を越えると洗浄工程を実施するまで全ての動作が停止するようになっている。
【００３７】
洗浄スイッチ２１ｉの操作により、洗浄工程が実行されると、ポンプ時間計測手段２６の計測時間をリセットして、再度時間の計測を開始する。また、電源スイッチ１６がオフしたり、停電になると、バックアップ手段２４にポンプ時間計測手段２６の計測した時間を格納するようになっていて、電源スイッチ１６がオンに戻ったり、停電復帰になると、バックアップ手段２４のバックアップしている計測時間より累計して時間計測を行うようになっている。
【００３８】
このように、ポンプ１４が駆動している累計時間を計測して加熱容器６内の洗浄時期を知らせることで、加熱容器６の使用状況に合わせて利用者は、精度良く加熱容器６内の洗浄タイミングを知ることができる。
【００３９】
なお、本実施例では、加熱容器洗浄時期お知らせＬＥＤ２１ｈの表示時間を５００時間、１０００時間、１５００時間としているが、これらの時間に限定されるものではない。
【００４０】
（実施例３）
以下、本発明の実施例３について図６を参照しながら説明する。図において実施例１と同一の構成要素については同じ符号を付し説明を省略する。２７は切替弁１０と給水弁８とが同時に駆動している累計時間を計測する給水時間計測手段である。
【００４１】
ここで、切替弁１０と給水弁８が同時にオンしている時は、加熱容器６内に水を給水しているときであり、そのときの駆動累計時間が５０時間を越えると、図２に示した加熱容器洗浄時期お知らせＬＥＤ２１ｈが遅い点滅表示（０．８秒オンの０．８秒オフ）となり、さらに、洗浄工程を実施せずに、１００時間を越えると加熱容器洗浄時期お知らせＬＥＤ２１ｈが速い点滅表示（０．４秒オンの０．４秒オフ）となる。それでも洗浄工程を実施せずに、１５０間を越えると洗浄工程を実施するまで全ての動作が停止するようになっている。
【００４２】
洗浄スイッチ２１ｉの操作により、洗浄工程が実行されると、給水時間計測手段２７の計測時間をリセットして、再度時間の計測を開始する。また、電源スイッチ１６がオフしたり、停電になると、バックアップ手段２４に給水弁時間計測手段２７の計測した時間を格納するようになっていて、電源スイッチ１６がオンに戻ったり、停電復帰になると、バックアップ手段２４のバックアップしている計測時間より累計して時間計測を行うようになっている。
【００４３】
このように、切替弁１０と給水弁８とが同時に駆動している累計時間で加熱容器６内の洗浄時期を知らせることで、加熱容器６内への給水状態に合わせて、利用者はさらに精度良く加熱容器６内の洗浄タイミングを知ることができる。
【００４４】
なお、本実施例では、加熱容器洗浄時期お知らせＬＥＤ２１ｈの表示時間を５０時間、１００時間、１５０時間としているが、これらの時間に限定されるものではない。
【００４５】
（実施例４）
以下、本発明の実施例４について図７を参照しながら説明する。図において実施例１と同一の構成要素については同じ符号を付し説明を省略する。２８は浄水カートリッジ９の出口と切替弁１０との間に取り付けられている水の通過水量を検知する流量センサである。この水量検知センサ２８は、その詳細構成を省略しているが、水が通過すると、内部の羽根が回転して、その回転軸に磁石が取り付けられ磁石の通過回数をホールＩＣで検知して、ホールＩＣからのパルス数をカウントすることにより通過水量を検知する仕組みとなっている。２９は切替弁１０が駆動しているときの流量センサ２８の累計計測流量を測定する累計給水量計測手段である。
【００４６】
ここで、電源スイッチ１６をオンすると、切替弁１０がオンした後、給水弁８がオンする。すると、水は水道管１から浄水カートリッジ９を通過した後、切替弁１０によって加熱容器６に貯水していく。流量センサ２８により通過水量を０．２リットル検知すると、給水弁８と切替弁１０をオフして加熱容器６内への貯水は止まる。その後、主ヒータ１１と補助ヒータ１２をオンして、加熱容器６内の水を加熱する。サーミスタ１３の検知温度が９５℃以上に達すると、再度、切替弁１０と給水弁８をオンして、流量センサ２８により通過水量を０．２リットル検知するまで貯水していく。検知すると、給水弁８と切替弁１０をオフして加熱容器６内への貯水を止める。このような動作を繰り返し、電極１５の検知貯水量が１．８リットルに達すると、主ヒータ１１と補助ヒータ１２をオフする。また、サーミスタ１３の検知温度が９５℃未満となると補助ヒータ１２をオンして加熱容器６内のお湯を高温保温するようになっている。また、一度目の加熱が完了した時点から加熱容器６内のお湯は、出湯可能状態となっていて、図２に示すロック解除ボタンスイッチ２１ｂを押してから、出湯ボタンスイッチ２１ｄを押している間は、ポンプ１４が駆動して、加熱容器６内のお湯を湯パイプ１８に汲み上げて、出湯するようになっている。
【００４７】
ここで、切替弁１０がオンしている時は、加熱容器６内に水を給水しているときであり、そのときの累計流量が１０００リットルを越えると、加熱容器洗浄時期お知らせＬＥＤ２１ｈが遅い点滅表示（０．８秒オンの０．８秒オフ）となり、さらに、洗浄工程を実施せずに、２０００リットルを越えると加熱容器洗浄時期お知らせＬＥＤ２１ｈが速い点滅表示（０．４秒オンの０．４秒オフ）となる。それでも洗浄工程を実施せずに、３０００リットル越えると洗浄工程を実施するまで全ての動作が停止するようになっている。
【００４８】
洗浄スイッチ２１ｉの操作により、洗浄工程が実行されると、累計給水量計測手段２９の計測量をリセットして、再度計測を開始する。また、電源スイッチ１６がオフしたり、停電になると、バックアップ手段２４に累計給水量計測手段２９の計測量を格納するようになっていて、電源スイッチ１６がオンに戻ったり、停電復帰になると、バックアップ手段２４のバックアップしている計測量から累計して計測を行うようになっている。
【００４９】
このように、加熱容器６内への累計給水量で加熱容器６内の洗浄時期を知らせることで、加熱容器６内への給水状態に合わせて、利用者はさらに精度良く加熱容器６内の洗浄タイミングを知ることができる。
【００５０】
なお、本実施例では、加熱容器洗浄時期お知らせＬＥＤ２１ｈの表示時間を１０００リットル、２０００リットル、３０００リットルとしているが、これらの時間に限定されるものではない。
【００５１】
【発明の効果】
以上のように本発明によれば、加熱容器を見なくても加熱容器の洗浄時期がわかるので、利用者は水垢が多く付着した加熱容器内の湯を使用し続けてしまうという不具合が防止しでき、衛生上も安心で、無駄な加熱容器内の洗浄を防ぐ使い勝手のよい給湯装置を提供することができる。
【図面の簡単な説明】
【図１】  本発明の実施例１における給湯装置の断面図
【図２】  本発明の実施例１〜５における給湯装置の表示操作部の平面図
【図３】  本発明の実施例１における給湯装置の洗浄時期変更手段の平面図
【図４】  本発明の参考例１における給湯装置の断面図
【図５】  本発明の実施例２における給湯装置の断面図
【図６】  本発明の実施例３における給湯装置の断面図
【図７】  本発明の実施例４における給湯装置の断面図
【符号の説明】
１  水道管
４  加熱ユニット
６  加熱容器
８  給水弁
１０  切替弁
１４  ポンプ
１６  電源スイッチ
２１  表示操作部
２２  洗浄時期変更手段
２３  駆動時間計測手段
２４  バックアップ手段
２５  加熱時間計測手段
２６  ポンプ時間計測手段
２７  給水時間計測手段
２８  流量センサ
２９  累計給水量計測手段
【図１】
0003778040.tif 000002
【図２】
0003778040.tif 000003
【図３】
0003778040.tif 000004
【図４】
0003778040.tif 000005
【図５】
0003778040.tif 000006
【図６】
0003778040.tif 000007
【図７】
0003778040.tif 000008